(57)【要約】  【課題】背支桿と背の接続構造を改良工夫することにより、その接続部分に別段の処理を不要としつつ、基部の構造が複雑となる事なども有効に解消した新規有用な椅子を提供する。【解決手段】背５を背支桿３の延出端３ｂに突き当てて取り付ける構造とし、その際に背支桿３それ自体は基部２の左右２箇所に振り分けて配置し、その背支桿３に背５の対応２箇所を座５の後方における座面よりも低位置にて取り付けるようにする。そして、これにより左右の背支桿３の間に開放される空間を利用して、ロック機構であるガススプリング機構７を基部２の後方から立ち上げて背５の下辺部である下枠部５２に直接接続することとした。  【選択図】図４
2008104522.tif 000002
【特許請求の範囲】
【請求項１】
背を基部の左右両側部に振り分けた一対の背支桿によって支持するようにしたものにおいて、
背の下端部における左右２箇所に背支桿接続部を、またその間にロック機構取付部を、それぞれ一体的に形成し、背支桿を座面よりも高くならない範囲で座の後方に延出させてその延出部に前記背支桿接続部を接続するとともに、左右の背支桿の間に背をロックするロック機構を配置して、その一端を基部の後部に取り付け他端を前記ロック機構取付部に直接取り付けて構成したことを特徴とする椅子。
【請求項２】
背の下部前面側に突起を一体的に設け、これを背支桿の延出端に設けた内側開口部に嵌合させることにより、背を背支桿の延出端に突き当てて取り付けるようにしている請求項１記載の椅子。
【請求項３】
背支桿は後方に向かって側面視ほぼ直線状に延びている請求項１又は２記載の椅子。
【請求項４】
背の下辺部が前方に向かって平面視凹状に湾曲しており、その凹み内に前方に突出することなくほぼ収まるように横リブを設け、この横リブの下方にロック機構取付部を位置づけている請求項１〜３記載の椅子。
【請求項５】
上下に一対の横リブを設け、それらの横リブの間にロック機構取付部を位置づけている請求項４記載の椅子。
【請求項６】
ロック機構取付部が、横リブに支持させた状態で一対の縦リブを背幅方向に対向させて設け、これらの縦リブに軸を挿し通す軸受部を設けたものである請求項４又は５記載の椅子。
【請求項７】
縦リブは、上下の横リブに一体成形され、若しくは上下の横リブに直接又は間接に固定されたものである請求項６記載の椅子。
【請求項８】
背が背枠の内側に張材を張って構成されるものであり、ロック機構取付部を背枠の下辺部である下枠部に構成している請求項４〜７記載の椅子。
【請求項９】
ロック機構取付部が背とともに樹脂一体成型されている請求項１〜８記載の椅子。
【発明の詳細な説明】
【技術分野】
【０００１】
本発明は、オフィス等で使用される椅子に係り、特に背支桿と背の接続構造に工夫を凝らした椅子に関するものである。
【背景技術】
【０００２】
一般に、オフィス等で使用される椅子は、背支桿が基部から後方に向けて延出し座面よりも高く立ち上がって背に接続されるのが通例であり、背支桿と背を取り付けるためのボルト等が露出して見栄えが悪い。これを処理するために、例えば特許文献１等に示されるように、背支桿を嵌める溝を背に形成したり背カバーを設けるなどの対応が一般に行われている。
【特許文献１】特開２００４−３２９３２０号公報
【発明の開示】
【発明が解決しようとする課題】
【０００３】
しかしながら、これだとスマートさに欠け、部品点数も増えるという問題がある。
【０００４】
このような構造に代えて、背支桿を座の下部中央に位置する基部に一体的に構成し、その背支桿に背のロック機能を付帯させて、後方の延出端に背の下部前面を突き当てて取り付けることが一つの有効な手段として考えられる。このようにすれば、背支桿を外部からほぼ完全に隠蔽することも可能となるからである。
【０００５】
しかしながら、これだと基部に背の後傾機能やロック機構など全ての機構を組み込まなければならないため、基部内のスペース的な取り合いが困難となって基部の大型化を招き、外観を損ねるだけでなく構造の複雑化にも繋がることとなる。
【０００６】
本発明は、このような課題に着目し、背支桿と背の接続構造を改良工夫することにより、その接続部分に別段の処理を不要としつつ、基部の構造が複雑となる事なども有効に解消した新規有用な椅子を提供することを目的としている。
【課題を解決するための手段】
【０００７】
本発明は、かかる目的を達成するために、次のような手段を講じたものである。
【０００８】
すなわち、本発明の椅子は、背を基部の左右両側部に振り分けた一対の背支桿によって支持するようにしたものにおいて、背の下端部における左右２箇所に背支桿接続部を、またその間にロック機構取付部を、それぞれ一体的に形成し、背支桿を座面よりも高くならない範囲で座の後方に延出させてその延出部に前記背支桿接続部を接続するとともに、左右の背支桿の間に背をロックするロック機構を配置して、その一端を基部の後部に取り付け他端を前記ロック機構取付部に直接取り付けて構成したことを特徴とする。
【０００９】
このように構成すれば、基部内には背支桿のみならずロック機構も組み込まずに済むため、基部が簡素化されてスマートとなり、ロック機構も左右の背支桿と背の下部に囲まれた見え難い部分に位置して外観上目立ち難くすることができ、背支桿のコンパクト化を図ることも可能となる。また、その背支桿と背との接続部分も、座の後方における座面下部で直接行うことにより外観上目立ち難くなり、背支桿と背を直結することで部品点数も抑えることが可能である。特に、背のロックは回動支点から離れるほど負荷が小さくなるため、基部のメカユニットから外に出すことでメカユニットが簡素になるだけでなく、ロック機構自体も構造の簡素化が図れることとなる。
【００１０】
背支桿を背に簡単確実に取り付けるためには、背の下部前面側に突起を一体的に設け、これを背支桿の延出端に設けた内側開口部に嵌合させることにより、背を背支桿の延出端に突き当てて取り付けるようにしておくことが好ましい。
【００１１】
椅子の外観にスマートさや軽量感、シャープさやメリハリを与えるためには、背支桿を後方に向かって側面視ほぼ直線状に延びる形態にしておくことが有効である。
【００１２】
ロック機構取付部を背の補強を兼ねて適切に隠蔽するためには、背の下辺部が前方に向かって平面視凹状に湾曲していることを利用し、その凹み内に前方に突出することなくほぼ収まるように横リブを設け、この横リブの下方にロック機構取付部を位置づけておくことが有効となる。
【００１３】
外観をより良好に保つためには、上下に一対の横リブを設け、それらの横リブの間にロック機構取付部を位置づけておくことが好ましい。
【００１４】
ロック機構取付部を背の補強を兼ねて適切に構成するためには、横リブに支持させた状態で一対の縦リブを背幅方向に対向させて設け、これらの縦リブに軸を挿し通す軸受部を設けるようにしたものが望ましい。
【００１５】
具体的な実施の態様としては、縦リブは、上下の横リブに一体成形され、若しくは上下の横リブに直接又は間接に固定されているものが挙げられる。
【００１６】
背が背枠の内側に張材を張って構成される場合には、ロック機構取付部を背枠の下辺部である下枠部に構成するのが適切であり、その際に上記のリブ構造を採用すれば、剛性が求められる背枠の下枠部を有効に補強することができる。
【００１７】
特に、ロック機構取付部が背とともに樹脂一体成型されている場合に本発明の顕著な効果が奏される。
【発明の効果】
【００１８】
本発明は、以上説明した構成であるから、従来の椅子に比して背支桿と背とを接続する部位に設けられる背カバー等が必要でなくなり、背支桿も短くなって座面の下方に配置され、接続部分も殆ど見えないため、背支桿を含めて椅子全体をスマートで軽量感のあるものにすることができる。また、基部に背支桿を始め全ての機構部品を持ち込む対応と比べても、背支桿を目立たないように好適に基部の外に出すことができて、基部の大型化を回避できるだけでなく、ロック機構も基部から外に出すことにより基部の更なる簡略化が図れ、そのロック機構も目立ち難い箇所に配置することで椅子の良好な外観を有効に担保することが可能となる。
【発明を実施するための最良の形態】
【００１９】
以下、本発明の一実施形態を、図面を参照して説明する。
【００２０】
この実施形態の椅子は、図１〜図５に示すように、脚羽根１１に支柱１２を介して基部２を回転可能に取り付けてなる椅子本体に対し、その両側部に背支桿３を回転可能に取り付けるとともに、基部２及び背支桿３に、座４及び背５をシンクロチルト可能に関連づけている。
【００２１】
基部２は、支柱１２に回転可能に取り付けた支持基部２１と、この支持基部２１上に配置した座取付部２２とからなるもので、支持基部２１には基底部から側方に突出させた支軸６１を介して背支桿３の基端３ａが回転可能に取り付けてある。座取付部２２は前部を長孔２１ａ及びピン２２aからなるスライド機構を介して前記支持基部２１の先端に接続され、後部を一対の背支桿３の間に架設した支軸６２に軸受部２２ｂを介して回転し得るように接続されている。そして、座取付部２２に座４を取り付け、背支桿３の延出端３ｂに背５を取り付けた状態で、背支桿３を支軸６１回りに後傾させることにより、図１に矢印で示すように、座取付部２２の後部が支軸６２によって後下方へ移動させられ、座取付部２２の前部がピン２２ａの長孔２１ａ内におけるスライド動作によって後方へ移動させられて、背５の後傾動作と座４の後下方への沈み込み動作とが連動するシンクロチルト動作が引き起こされるようにしている。なお、この基部２それ自体には、背５をロックするロック機構は組み込まれていない。
【００２２】
このような構成において、本実施形態は、背支桿３をコンパクトでスマートな形態にしつつ、この背支桿３に背５を直付け可能にするとともに、その背５に直接ヘッドレスト等のオプション部材を取り付け得るようにしている。
【００２３】
背支桿３は、本実施形態ではアルミダイキャスト製のもので、図６〜図８に示すように少なくとも本体部３ｃがほぼ全域に亘って断面略コ字状をなし、そのうち図６に現われる内向きコ字状の部位に内側開口部３ｄ、３ｆが、また図７に現われる外向きコ字状の部位に外側開口部３ｅが、それぞれ一体的に形成されている。
【００２４】
本体部３ｃは、内壁３１、外壁３２、上壁３３及び底壁３４からなる略直方体状のもので、それらの壁面は背支桿３の長手方向に沿って直線状に延びており、後部の延出端３ｂ側に第１の内側開口部３ｄを、その基端側隣接位置に外側開口部３ｅを、さらにその基端側隣接位置に第２の内側開口部３ｆをそれぞれ形成している。第１の内側開口部３ｄは、背支桿取付部として機能するもので、図８（ａ）、（ｂ）に示すように外壁３２、上壁３３、底壁３４及び隔壁３５によって区画された横断面内向きコ字状をなし、内側及び延出端側に向けて開口している。外側開口部３ｅは、肘取付部として機能するもので、図８（ａ）、（ｃ）に示すように内壁３１、上壁３３、底壁３４及び一対の隔壁３５，３６によって区画された横断面外向きコ字状をなし、外側に向けて開口している。第２の内側開口部３ｆは、図８（ａ）、（ｄ）に示すように外壁３２、上壁３３、底壁３４及び一対の隔壁３６，３７によって区画された横断面内向きコ字状をなし、内側に向けて開口している。この第２の内側開口部３ｆは、更にその内側が縦隔壁ｆ１及び横隔壁ｆ２によって４つの小開口部に区画されているが、これは肉厚を均一にするための肉盗みである。
【００２５】
すなわち、第１の内側開口部３ｄの内方には背支桿３の外壁３２が奥部立壁として存在し、外側開口部３ｅの内方には背支桿３の内壁３１が奥部立壁として存在しており、それらの奥部立壁にそれぞれ背支桿３や肘６を取り付けるためのねじ穴３ｄ１、３ｅ１を設けている。
【００２６】
そして、例えば図７に示す第１の外側開口部３ｅでは、一対の隔壁３５，３６の上部間及び下部間がそれぞれ背支桿３の上壁３３及び底壁３４により接続されて内周が全て周回状に閉じた状態となり、図６に示す第２の内側開口部３ｆでは、縦隔壁ｆ１及び横隔壁ｆ２を無視して考えるならば一対の隔壁３６、３７の上部間及び下部間がそれぞれ背支桿３の上壁３３及び底壁３４により接続されて内周が全て周回状に閉じた状態となる。勿論、この内側開口部３ｆ内を細分する各小開口部においても内周は全て閉じた状態となる。これらの構造は開口部の強度を確保する上で有効となるものである。第１の内側開口部３ｅは後述する背５の突出部５４を差し込む必要があるため内周が後端側へ開口したものとなっているが、このように後端側へ開口しても背５の突出部５４を差し込んだ状態で内部が密実に充填されるため強度的な支障はない。
【００２７】
一方、図８の各図に現われるように、内側開口部３ｄ、３ｆの内周は漸次外側に向かって開口を小さくするテーパ形状をなし、外側開口部３ｅの内周は漸次内側に向かって開口を小さくするテーパ形状をなしていて、これらの内周のテーパ形状は、背支桿３の外壁３２と内壁３１のほぼ中央を通る位置にパーティングラインを設定して構成される金型（図示省略）の抜きテーパを兼ねている。
【００２８】
なお、この背支桿３には、図５〜図７に示すように、基端３ａ近傍の上壁３３に支軸６１を挿し通す軸受部７１が、また延出端３ｂ近傍の上壁３３に支軸６２を挿し通す軸受部７２が、それぞれ成型により隆起部を設けかつ樹脂製のブッシュを装着することによって構成されている。基端３ａ側に位置する軸穴７３には、背５の回動範囲を規制する回動規制ピン６３（図１及び図５参照）が支持基部２１から突出して差し込まれる。
【００２９】
以上において、背支桿３の本体部３ｃの内壁３１、外壁３２、上壁３３、底壁３４、隔壁３５〜３７は勿論のこと、基端部３ａの軸穴７３や軸受部７１，７２を構成する穴の周囲を含めて、背支桿３のほぼ全域が等厚な成形体であり、軸穴７３や軸受部７１，７２を構成する穴も内側開口部と見れば、これらの内側開口部を含めてほぼ全ての領域において横断面がコ字形をなす。
【００３０】
このようにしてなる一対の背支桿３は、図４及び図９等に示すように、その間隔が基端部３ａから延出端部３ｂに向けて拡開した状態で基部２に取り付けられるが、各開口部３ｄ、３ｅ、３ｆの開口方向は背幅方向（換言すれば支軸６１，６２の方向）と平行をなすように設定してある。このため、背支桿３を基準に見れば、図９に示すように、例えば開口部３ｄに対して肘６を差し込む方向（すなわち開口部３ｄの開口方向）は背支桿３の長手方向と直交する方向に対して一定の角度をなすものとなっている。
【００３１】
このようにしてなる背支桿３は、図１に示すように、その延出端３ｂを座面よりも高くならない範囲で座４の後方に延出させてある。
【００３２】
そして、上記のように基部２の左右両側部に振り分けた一対の背支桿３の延出端３ｂに、図１、図４及び図５に示すごとく背５を直付けするようにしている。
【００３３】
背５は、図１〜図３に示すように樹脂一体成型により構成されて、上枠部５１、下枠部５２及び左右の側枠部５３からなる単一周回枠状の背枠５ｘと、この背枠５ｘの内側に張り設けた張材５ｙとからなるもので、側枠部５３は側面視において上下方向ほぼ中間位置が最も前方に突出する概略くの字状をなし、上枠部５１及び下枠部５２は図４、図５及び図１０等に示すように平断面が前方に向かって凹となる湾曲形状をなしている。そして、背５の下部に位置する前記下枠部５２の前面側における左右２箇所に、背支桿接続部５４を一体的に形成している。
【００３４】
背支桿接続部５４は、下枠部５２の前面より前方に向けて突起５４ａを一体的に設け、この突起５４ａを背支桿３の延出端３ｂに開口する第１の内側開口部３ｄにテーパ嵌合させて、突起５４ａの一部に設けた貫通孔５４ｂに内側からボルトを差し込んで背支桿３のめねじ部３ｄ１（図８参照）に締着するようにしたものであり、嵌合状態で突起５４ａに設けた段部５４ａ１を背支桿３の延出端３ｂの端面３ｂ１に突き当てるようにしている。背支桿３は図１の如く後方に向かって側面視ほぼ直線状に延びているため、本実施形態においてはほぼ最短距離でその延出端３ｂに背５が取り付けられる。背支桿３の幅方向の位置づけは、図２に示すように座４の下方であって側縁よりも内方に入り込んだ部位であり、前後方向の位置づけは、図１に示すように基端３ａが座４の前後方向のほぼ中央、支柱１２の僅か前方部位である。
【００３５】
一方、この椅子は、通常なら基部２内に構成される背のロック機構を基部２外に持ち出して、図１、図４等に示すようにガススプリング機構７という形で基部２と背５の間に配置するようにしており、そのために図４及び図１０等に示すようにロック機構取付部５５を背５の下辺部に位置する下枠部５２の幅方向中央部に設けている。
【００３６】
このロック機構取付部５５を形成するにあたり、背５の下枠部５２の平断面が前方に向けて凹状に湾曲している点に着目し、この背５を側面視した場合にその凹み内に収まり前方に突出しない状態で上下一対の横リブ５６ａ、５６ｂを設けている。これらの横リブ５６ａ、５６ｂは、両端が下枠部５２に沿って延びて前述した背支桿接続部５４を構成する左右一対の突出部５４ａに接続されている。そして、これらの横リブ５６ａ、５６ｂの間にロック機構取付部５５を形成している。
【００３７】
ロック機構取付部５５は、樹脂一体成型により、図１０に示すように横リブ５６ａ、５６ｂに支持させた状態で一対の縦リブ５５ａを背幅方向に対向させて設け、これらの縦リブ５５ａに軸５５ｂを挿し通す軸受部たる軸穴５５ｃを形成したもので、この縦リブ５５ａも下枠部５２の平断面が前方に向けて凹状に湾曲している事との関係で、側面視した場合にその凹み内に収まるように構成している。
【００３８】
そして、ガススプリング機構７の一端７ａを図１、図３、図４、図１０等に示すように基部２の後部に設けた支軸６４に回転可能に支持させ、他端７ｂに形成した軸穴７１をロック機構取付部５５を構成する左右の縦リブ５５ａの間に差し込んでそれらの縦リブ５５ａに形成した軸穴５５ｃに合致させ、その状態で側方から軸５５ｂを差し込んでこれらに挿し通すことにより、基部２と背５の間にガススプリング機構７を取り付けている。
【００３９】
すなわち、背支桿３が背５とともに支軸６１回りに回転すると、支軸６１よりも後方の支軸６４に一端７ａを取り付けられたガススプリング機構７は、その他端７ｂが取り付けられた背５のロック機構取付部５５が次第に支軸６４に近づくことにより圧縮され、所要の圧縮位置で再びロックすることにより、背座を適宜のシンクロチルト状態に保持するようにしている。ロック状態を解除すれば、図１の姿勢への復帰力を発現するものとなる。
【００４０】
さらに、前述した背５には、図１１及び図１２に示すように、張材取付部５７及びオプション取付部５８が一体的に構成してある。
【００４１】
具体的には、背枠５ｘの上枠部５１及び左右の側枠部５３の外周には、背枠５ｘの周回方向に沿って略全域に亘り２本の溝５７ａ、５８ａが並行に形成してあり、前方に位置する溝５７ａをそれ自体で張材取付部５７として機能させるとともに、後方に位置する溝５８ａにヘッドレスト８１等のオプション部材８を取り付けるためのオプション取付部５８の役割を担わせるようにしている。
【００４２】
すなわち、この実施形態ではメッシュ地５ｙ１の周囲に板状の取付片５ｙ２を一体的に形成した張材５ｙを用意し、この張材５ｙの取付片５ｙ２を上枠部５１及び左右の側枠部５３の溝５７ａにそれぞれ差し込むとともに、張材５ｙの下端を適宜の構造、例えば図１３に示すように背５の下枠部５２に設けたフック爪５２ａに引っ掛けて固定する等の構造により固定して、当該張材５ｙを背５の前部に取り付けるようにしている。この状態では、図１に示すように背枠５ｘの側面等において前方の溝５７ａは張材５ｙで閉止され、後方の溝５８ａがスリット状に周回した状態となる。
【００４３】
そしてこのとき、図１２における背枠５ｘの横断面に現われるように、背枠５ｘの内周側の前面５ｘ１には張材５ｙとの間に張材５ｙの撓みしろとなる隙間Ｓを形成する部位が存在しており、この部位を含む背枠５ｘの内周側と、前述した背枠５ｘの外周側に形成した溝５８ａとによって、本発明のオプション取付部５８を構成している。
【００４４】
そして、オプション部材８として例えばヘッドレスト８１を、本体取付部８１ａ及びこの本体取付部８１ａに対してねじ８１ｂにより脱着される挟持片８１ｃから構成して、これらの間に背枠５ｘの上枠部５１を抱き込む形状の一対の対向部８１ｄ、８１ｅを形成し、その対向部８１ｄ、８１ｅ間に、開口縁よりも内方が幅広となる凹部８１ｆを形成するようにしている。そして、挟持片８１ｃを離脱させた状態でこの凹部８１ｆとなる部位に背枠５ｘの上枠部５１を受容した後、挟持片８１ｃを嵌め込んでねじ８１ｂを用いて凹部８１ｆを狭める方向に締め付け力を付与することにより、それらの対向部８１ｄ、８１ｅで背枠５ｘの上枠部５１を挟持して、ヘッドレスト８１を背枠５ｘを抱かせた状態に取り付けるようにしている。このようにして、ヘッドレスト８１は上枠部５１の外周側の溝５７ａから上枠部５１の内周側の隙間Ｓに臨む部位に跨って取り付けられる。なお、この状態において、挟持片８１ｃの前面５ｘ１は、背枠５ｘの上枠部５１の前面に滑らかに連続しており、張材５ｙが撓んだ際の張材受け面として機能し得るようにしている。
【００４５】
因みに、図１４はこの状態を背面から見たものであり、同図においては、このヘッドレスト８１との干渉を避けて、他のオプション部材８としてハンガー８２も同時に取り付けている。
【００４６】
このハンガー８２は、図１５に示すように、門型のハンガー本体８２ａと、このハンガー本体の２本の脚８２ａ１の下端にねじにより脱着される挟持片８２ｂとからなるもので、挟持片８２ｂの取付構造は上記ヘッドレスト８１におけると同様、溝５８ａを利用しつつ対向片間に上枠部５１を挟み込んで締め付けるものである。脚８２ａ１はヘッドレスト８１の本体取付部８１ａの両側に位置づけられる。このハンガー８２は図１２に想像線で示すように背５の最も後方に位置する背枠５ｘの上枠部５１に取り付けられるため、この位置に衣服を掛けると、く字型に屈曲する背の背面側に空いている空間に衣服を位置づけることができる。なお、図１４における符合８３で示すものは、他のオプション部材８として示したランバーサポートであり、背枠５ｘの側枠部５３の内周に上記に準じた溝５９を設けその溝５９に両端８３ａを挿し通すなどすれば、このような部材の取付も可能であることを示している。
【００４７】
以上のように、本実施形態の椅子は、背５を背支桿３の延出端３ｂに突き当てて取り付ける構造とし、その際に背支桿３それ自体は基部２の左右２箇所に振り分けて配置し、その背支桿３に背５の対応２箇所を座５の後方における座面よりも低位置にて取り付けるようにしたものであり、且つこれにより左右の背支桿３の間に開放される空間を利用して、ロック機構であるガススプリング機構７を基部２の後方から立ち上げて背５の下辺部である下枠部５２に直接接続することとしている。
【００４８】
このようにすれば、基部２内には背支桿３のみならず背のロック機構も組み込まずに済むため、基部２が簡素化されてスマートとなり、ロック機構であるガススプリング機構７も左右の背支桿３と背５の下部に囲まれた見え難い部分に位置して外観上目立ち難く、背支桿３もコンパクトなものにすることができる。また、背支桿３と背５との接続部分も座４の後方における座面下部で直接行うことにより外観を損なうことを回避でき、かつ背支桿７と背５を直結することで部品点数も有効に抑えることができる。特に、ロック機構は支軸２２ａから離れるほど負荷が小さくなるため、基部２のメカユニットから外に出すことでメカユニットが簡素になるだけでなく、ロック機構自体もガススプリング機構７のような簡素で標準のものでまかなえることとなる。
【００４９】
具体的には、背５の下部前面側に突起５４ａを一体的に設け、これを背支桿３の延出端３ｂに設けた内側開口部３ｄに嵌合させることにより、背５を突起５４ａの段部５４ａ１において背支桿３の延出端３ｂに突き当てて取り付けるようにしているので、背支桿３に背５を簡単に取り付けることができ、突起５４ａは樹脂成型により背５に簡単に付帯させて所要の強度を発揮させることができる。
【００５０】
また、背支桿３を後方に向かって側面視ほぼ直線状に延びる形態のものにしているので、背５を背支桿３に突き当てて固定していることとも相まって、背取付位置までの背支桿３の距離が短くなり、かつ背支桿３全体が基部２の両側部にあって座面よりも低い部位に位置するため、全体として背支桿３をコンパクトでスマートな存在のもの、シャープでメリハリのあるものにすることができる。
【００５１】
さらに、背５の下辺部である下枠部５２が前方に向かって平面視凹状に湾曲している点に鑑み、その凹み内に前方に突出することなくほぼ収まるように横リブ５６ａを設け、この横リブ５６ａの下方にロック機構取付部５５を位置づけているので、かかる横リブ５６ａによって、着座者から受ける荷重に対して背５の湾曲形状を保持する剛性を適切に確保することができる。そして、ロック機構取付部５が上方に表出することを横リブ５６ａによって適切に遮蔽して上方からの見え掛かりを良好なものにすることができ、且つ椅子を側方から見た場合に背５の凹みの中に収まって殆ど側方に表出することもなくなるため、椅子の側面視にも影響を及ぼさない処理が可能となる。
【００５２】
特に、横リブ５６ａに加えて横リブ５６ｂも設け、それらの横リブ５６ａ，５６ｂの間にロック機構取付部５５を位置づけているので、剛性を更に高めることができるとともに、ロック機構取付部５５が上方のみならず下方に表出することをも効果的に防止することができる。この場合は、下方から何らかの拍子で蹴り上げられた場合等におけるロック機構取付部５５のガードとしての効果も期待できる。
【００５３】
ロック機構取付部５５の構造としては、横リブ５６ａ，５６ｂに支持させた状態で一対の縦リブ５５ａを背幅方向に対向させて設け、これらの縦リブ５５ａに軸５５ｂを挿し通す軸受部５５ｃを設けたものであるので、これら縦横のリブ５５ａ，５６ａ，５６ｂによって背の湾曲保持機能を更に高め、かつ軸受部５５ｃを所要の剛性の下に有効に構成することが可能となる。その縦リブ５５ａも、上下の横リブ５６ａ，５６ｂに一体成形した点で更にこれらの効果を高めたものになっている。
【００５４】
とりわけ、この椅子は、背５が背枠５ｘの内側に張材５ｙを張って構成されるものであるが、ロック機構取付部５５をその背枠５ｘの下辺部である下枠部５２に構成しているので、背枠５ｘの剛性を高める要請にも同時に応えることができる。その際、上記のリブ構造や、ロック機構取付部５５が背５とともに樹脂一体成型されている点が特に奏功するものである。
【００５５】
なお、各部の具体的な構成は、上述した実施形態のみに限定されるものではなく、本発明の趣旨を逸脱しない範囲で種々変形が可能である。
【００５６】
例えば、上記実施形態では、背が背枠に張材を取り付けて構成したものであったが、シェル等を使った背に対しても同様に適用することができる。
【００５７】
また、図１６のように上方の横リブ５６ａのみを設けた場合にも、下枠部５２の補強とロック機構取付部５５に対する隠蔽効果は好適に奏される。
【００５８】
さらに、図１７のように、ロック機構取付部１５５は上下の横リブ５６ａ，５６ｂに嵌め込むような別体品であっても、強固に固定して一体化できれば所期の効果を得ることができる。
【図面の簡単な説明】
【００５９】
【図１】本発明の一実施形態に係る椅子を示す側面図。
【図２】同背面図。
【図３】同後方斜視図。
【図４】同実施形態の機構部分を示す斜視図。
【図５】図４の分解図。
【図６】同実施形態の背支桿を内側から見た斜視図。
【図７】同実施形態の背支桿を外側から見た斜視図。
【図８】同背支桿の要部断面図。
【図９】同背支桿に対する開口部の開口方向を説明する図。
【図１０】同実施形態の背支桿取付部を示す部分拡大斜視図。
【図１１】同実施形態に係る背枠の溝構造をヘッドレスト部分において示す部分拡大斜視図。
【図１２】図１１に対応した断面図。
【図１３】同実施形態における張材の背下辺部への取付構造を示す図。
【図１４】オプション部材を取り付けた状態の椅子の背面図。
【図１５】同要部拡大図。
【図１６】本発明の変形例を示す図。
【図１７】本発明の他の変形例を示す図。
【符号の説明】
【００６０】
２…基部
３…背支桿
３ｂ…延出端
３ｄ…内側開口部
４…座
５…背
６…肘
７…ロック機構（ガススプリング機構）
５４…背支桿接続部
５４ａ…突起
５５…ロック機構取付部
５５ａ…縦リブ
５５ｃ…軸受部
５６ａ、５６ｂ…横リブ
【図１】
2008104522.tif 000003
【図２】
2008104522.tif 000004
【図３】
2008104522.tif 000005
【図４】
2008104522.tif 000006
【図５】
2008104522.tif 000007
【図６】
2008104522.tif 000008
【図７】
2008104522.tif 000009
【図８】
2008104522.tif 000010
【図９】
2008104522.tif 000011
【図１０】
2008104522.tif 000012
【図１１】
2008104522.tif 000013
【図１２】
2008104522.tif 000014
【図１３】
2008104522.tif 000015
【図１４】
2008104522.tif 000016
【図１５】
2008104522.tif 000017
【図１６】
2008104522.tif 000018
【図１７】
2008104522.tif 000019